(57)【要約】【課題】運送中に運搬されている物品の落下、紛失・盗難等の物品の間違い又は不正による物品の出入・すり替えを迅速に検出できる輸送物品の管理方法を提供する。【解決手段】排出者Ｈ，物品ＩＤ番号，物品に詰めた医療廃棄物の品目，量，収集運搬業者，運送の宛先の処分業者の処分場等の情報をＩＣタグに書き込み、これを医療廃棄物を詰めたダンボール箱Ｄに取付け、収集運搬業者の収集運搬車ＣのコンテナＣＣに、ＩＣタグ読み取り装置４を設け、そのコントローラ５とＩＣタグの各情報と収集運搬車ＣのＧＰＳ装置６の運送位置情報と、年月日時刻情報とを無線機７によって管理センターＢへ送信し、管理センターの管理コンピュータ１０は物品ＩＤ番号，これから計算した物品の個数，車両番号の運送位置情報等を記憶して表示し、これらを管理する。【選択図】          図１
2004299878.tif 000002
【特許請求の範囲】
【請求項１】
輸送車両に積載した物品の個数を検出する検出装置を車両に設け、同検出装置の検出情報を無線でもって物品管理センターへ送信し、同管理センターのコンピュータで車両で輸送する物品の個数情報を経時的に記憶して、物品の個数を経時的に監視できるようにすることを特徴とする輸送物品の管理方法。
【請求項２】
輸送車両にＧＰＳ装置を設け、車両の運送位置情報を無線でもって物品管理センターへ送信できるようにして、物品の個数情報が運送位置との関連付けできるようにした請求項１記載の輸送物品の管理方法。
【請求項３】
各物品の識別情報を検出できる物品識別情報読み取り手段を設け、同物品識別情報読み取り手段によって検出された積載された物品の物品識別情報を経時的に無線で送信し、物品管理センターで積載物品の識別情報から物品が特定できるようにした、請求項１又は２記載の輸送物品の管理方法。
【請求項４】
物品の個数を検出する検出装置として、各物品毎に異にする物品識別情報を記憶させたＩＣタグと、同ＩＣタグとの情報を無線で読み取るＩＣタグ読み取り装置と、ＩＣタグ読み取り装置が読み取った異なったＩＣタグの数を個数としてカウントするカウント手段とからなるものである、請求項１〜３いずれか記載の輸送物品の管理方法。
【請求項５】
ＩＣタグに物品内容情報を記憶させて、物品内容情報をＩＣタグによって読み出せるようにした、請求項４記載の輸送物品の管理方法。
【請求項６】
ＩＣタグに物品の運送委託者と送り宛先の情報とを記憶し、物品管理センターへ無線で送信され、物品管理センターでは物品の運送委託者，送り宛先が物品毎に記憶され、表示できるようにした請求項１〜５いずれか記載の輸送物品の管理方法。
【請求項７】
物品が産業廃棄物であり、運送委託者が産業廃棄物の排出者で、送り宛先が廃棄物処理業者の処理場である請求項１〜６いずれか記載の輸送物品の管理方法。
【発明の詳細な説明】
【０００１】
【発明の属する技術分野】
本発明は、トラック、軽自動車・列車・船舶等で輸送中の物品の個数、物品ＩＤ（識別情報）を監視して、運送中の物品の出入，物品の紛失，物品に対する間違い又は不正移動の監視が行えるようにする輸送物品の管理方法を提供する。特に廃棄物処理の為の廃棄物運送管理に有用である。
【０００２】
【従来の技術】
従来、物品をトラック等の車両・列車・船舶によって収集運搬業者が輸送するとき、各車両・列車・船舶に荷積みするとき及び荷卸しする際に、物品の個数，物品のＩＤ情報が検査され、物品が無事・安全に輸送されたか否か確認されている。
しかしながら、運送中（走行時又は停車時）に物品が間違い又は不正に車両から卸されたり、車両から落下したり、盗難されたり、又は運送中別物と交換されたり、廃棄される事故・行為が生じて、物品が目的地に正しく到着しない事故が発生していた。
これらの場合に、荷積みと荷卸しの時のみの検査ではその不正・盗難・落下が検出できないことがあった。又検出しても時間が経た後でその対応が不充分となるものとなることがあった。特に物品が廃棄物の場合は、廃棄処理場への運送目的地の途中で、不適切な業者への処分渡し、又は不法投棄される恐れがあった。
【０００３】
【発明が解決しようとする課題】
本発明が解決しようとする課題は、従来のこれらの問題点を解消し、運送中における物品の間違いによる又は不正な物品の出入、物品のすり替えを迅速に検出できる輸送物品の管理方法を提供することにある。
【０００４】
【課題を解決するための手段】
かかる課題を解決した本発明の構成は、
１）  輸送車両に積載した物品の個数を検出する検出装置を車両に設け、同検出装置の検出情報を無線でもって物品管理センターへ送信し、同管理センターのコンピュータで車両で輸送する物品の個数情報を経時的に記憶して、物品の個数を経時的に監視できるようにすることを特徴とする輸送物品の管理方法
２）  輸送車両にＧＰＳ装置を設け、車両の運送位置情報を無線でもって物品管理センターへ送信できるようにして、物品の個数情報が運送位置との関連付けできるようにした前記１）記載の輸送物品の管理方法
３）  各物品の識別情報を検出できる物品識別情報読み取り手段を設け、同物品識別情報読み取り手段によって検出された積載された物品の物品識別情報を経時的に無線で送信し、物品管理センターで積載物品の識別情報から物品が特定できるようにした、前記１）又は２）記載の輸送物品の管理方法
４）  物品の個数を検出する検出装置として、各物品毎に異にする物品識別情報を記憶させたＩＣタグと、同ＩＣタグとの情報を無線で読み取るＩＣタグ読み取り装置と、ＩＣタグ読み取り装置が読み取った異なったＩＣタグの数を個数としてカウントするカウント手段とからなるものである、前記１）〜３）いずれか記載の輸送物品の管理方法
５）  ＩＣタグに物品内容情報を記憶させて、物品内容情報をＩＣタグによって読み出せるようにした、前記４）記載の輸送物品の管理方法
６）  ＩＣタグに物品の運送委託者と送り宛先の情報とを記憶し、物品管理センターへ無線で送信され、物品管理センターでは物品の運送委託者，送り宛先が物品毎に記憶され、表示できるようにした前記１）〜５）いずれか記載の輸送物品の管理方法
７）  物品が産業廃棄物であり、運送委託者が産業廃棄物の排出者で、送り宛先が廃棄物処理業者の処理場である前記１）〜６）いずれか記載の輸送物品の管理方法
にある。
【０００５】
【発明の実施の形態】
本発明の物品の個数を検出する検出装置としては、物品に取付けるＩＣタグとＩＣタグ読み取り装置と同ＩＣタグ読み取り装置の読み取ったＩＣタグの情報から物品をカウントするカウント手段との組み合わせ、物品に取付ける物品識別情報等を発信する小型無線発信器とその無線の受信・送信機と受信物品ＩＤ情報からの物品カウンターとの組み合わせ、車両にある物品を撮影するＣＣＤカメラとＣＣＤカメラの画像から物品個数等の情報を算出するコンピュータソフトとの組み合わせ、あるいは物品に付着したマーク（色、記号、磁気、反射面）と同マークの存在を遠隔で読み取れるマーク読み取り装置（ＣＣＤ、受光器、投光器、磁気センサー、光学センサー等）と、同マーク読み取り装置によって読み取ったマークから物品の数を算出するコンピュータソフトとの組み合わせ等がある。
更に、加えるならば検出装置の物品毎に取付け又は封止される個数検出用被検出媒体又は物品個別信号発生手段として、ＩＣタグ，２次元・３次元バーコード，共振タグ，小型無線送信機，反射板，磁気カード，投光器，識別模様・色カード，音発生器等があり、その被検出媒体の検出手段又は個別信号受取手段としては、ＩＣタグ読み取り装置，バーコード読み取り装置，無線送受信機，受光器，磁気読み取り装置，ＣＣＤカメラ・マイク等があり、これらの信号・情報から物品の個数，物品識別情報を得る手段として電子回路・カウンター・コンピュータソフトが用いられる。
本発明の運送される物品としては、販売される商品単体，複数の商品を箱詰めした物品，容器に収納されて運送される液状物・粒体，又は多数の小部品，農作物，機械，食品及び家電製品の廃棄物，病院から排出される医療廃棄物，コンクリート片，ガラス片・木材片・泥水等の建築廃棄物，その他生活廃棄物等がある。
本発明のＩＣタグの取付けは、製品・機械の表面又は隠れた内部に取付ける方法、又はその包装物（ダンボール箱，運送容器，包装紙・包装袋・ゴミ袋等の廃棄袋）の表面又は内部に取付ける方法、あるいは液・粉粒状物・小部品の収容体（瓶・缶・タンク等）の表面又は内部に取付ける方法がある。ＩＣタグは取替・取り外し難い部所（内部）に取付けることが不正を防ぐこととなる。
【０００６】
【実施例】
以下、本発明の実施例を図面に基づいて説明する。
本実施例は、病院の医療廃棄物をダンボール箱に詰め、この医療廃棄物を詰めたダンボール箱（物品：産業廃棄物）をトラックを用いた廃棄物収集運搬車に集荷し、その医療廃棄物の産業廃棄物処分業者の処分場へ輸送する例である。本発明の運送される物品は、実施例では医療廃棄物を詰めたダンボール箱である。ダンボール箱にはＩＣタグとバーコードを付着させる。このＩＣタグには排出者情報，物品ＩＤ情報，運送先の処理業者情報，運送年月日等が記憶され、登録できるようにしている。又このＩＣタグの情報を読み出せるＩＣタグ読み取り装置を排出業者，処分業者及び運送業者の廃棄物収集運搬車のコンテナの内側に設ける。又廃棄物収集運搬車には、ＧＰＳ装置があって、その車両の位置が検出されて、無線機で物品管理センターへ送られるようになっている。又産業廃棄物収集運搬車のＩＣタグ読み取り装置のＩＣタグの情報又はその加工情報は無線で管理センターへ送信される。
物品管理センターは排出者からの廃棄物の物品情報の記憶・管理、運送業者への連絡及び廃棄物収集運搬車への積み込み時の情報チェック、及び運送中での情報チェック、及び処分業者からの情報の授受及び排出者への処分完了の通知を総合的に管理している例である。
本実施例の検出装置は、ＩＣタグと，ＩＣタグ読み取り装置と，ＩＣタグから物品の個数をカウントするカウント回路とから構成される。
【０００７】
図１は、実施例の全体システムを示す説明図である。
図２は、実施例の排出者でのＩＣタグの書き込みと付着を示す説明図である。
図３は、実施例の排出者での荷引き渡し時における物品の情報発信を示す説明図である。
図４は、実施例の収集運搬の車両内の装置を示す説明図である。
図５は、実施例の処理業者でのＩＣタグを用いた検査を示す説明図である。
図６は、実施例の管理センターの情報処理を示す説明図である。
図７，８は、管理センターのコンピュータのディスプレイ画面図である。
図９，１０は、実施例の管理処理を示すフロー図である。
図１１は、管理コンピュータの処理ソフトのフローチャートである。
図１２は、廃酸・廃アルカリ液，汚泥，建設廃棄物の運送ＩＣタグの取付状態を示す説明図である。
【０００８】
図中、１はＩＣタグ、２は排出者がＩＣタグ１に情報を書き込むコンピュータを用いたＩＣタグ書き込み装置、２ａは同ＩＣタグ書き込み装置の書き込み用コイル、２ｂは同ディスプレイ、２ｃはキーボード、２ｄはマウス、２ｅはＣＰＵ・ＲＯＭ・ＲＡＭ・ＨＤＤ・ＦＤＤ等を有するコンピュータ本体、３は排出者に設けたトンネルリーダ型ＩＣタグ読み取り装置、３ａはトンネル型アンテナ、３ｂはＩＣタグ１の情報の内容を記憶し、処理し、必要な情報をインターネットを介して送信及び受信できるコンピュータを用いたＩＣタグ読み取り装置本体、４は収集運送業者の車両ＣのコンテナＣＣに取付けたＩＣタグ読み取り装置、４ａはコンテナＣＣの天井・扉・側面に取付けたＩＣタグ読み取り装置４のアンテナ、５はＩＣタグ読み取り装置４のコントローラ、６は車両Ｃの運送位置を検出するＧＰＳ装置、６ａはＧＰＳ装置の無線アンテナ、７は物品管理センターＢとの無線の情報の授受を行う無線機、７ａは無線機７の無線アンテナ、８は産業廃棄物の処分業者Ｓの処分場に設けたトンネルリーダ型ＩＣタグ読み取り装置、９は同ＩＣタグ読み取り装置８の情報を処理して物品管理センターＢへインターネットを介して送信できるインターネットパソコン、１０は物品管理センターＢの管理コンピュータ、１０ａはディスプレイ、１０ｂはキーボード、１０ｃはマウス、１０ｄはＨＤＤ、１０ｅはＦＤＤ、１０ｆはインターネット通信器、１０ｇは無線交信器、１１は収集運搬業者のインターネットパソコンである。
Ｂは物品管理センター、Ｃは収集運搬業者Ｔのコンテナ車の廃棄物収集運搬車、ＣＣは廃棄物収集運搬車Ｃのコンテナ、Ｄは運送される産業廃棄物を箱詰めしたダンボール箱、Ｈは産業廃棄物を排出する排出者、Ｔは産業廃棄物のダンボール箱Ｄの収集運搬業者、Ｓは産業廃棄物の廃棄処分する処分業者である。
【０００９】
この実施例では、まず排出者Ｈ，運送業者Ｔ，処分業者Ｓの情報は、事前に物品管理センターＢの管理コンピュータ１０に識別番号を付して登録され、それぞれのコンピュータのＩＣタグ読み取り装置本体３，インターネットパソコン１１，インターネットパソコン９との間で互いに情報の伝達がインターネットを介して行えるようにしている。
病院の排出者Ｈは、排出されてくる医療廃棄物をダンボール箱Ｄに箱詰し、同ダンボール箱Ｄの処分を依頼する排出者Ｈの排出者識別情報，廃棄物処分を行う処分業者Ｓの処分業者識別情報，運送委託する運送業者Ｔの運送業者識別情報，ダンボール箱Ｄの品番（物品ＩＤ番号），産業廃棄物の品目，量等を書き換え不可に記憶させたＩＣタグをＩＣタグ書き込み装置２によって作成し、それを各ダンボール箱Ｄ内で外部から触れられない場所（ダンボール箱Ｄのフラップの内面等）に固着する。そしてＩＣタグ１の情報はインターネットを介して管理センターＢへ送信される。
【００１０】
ダンボール箱Ｄの運送の準備ができると、排出者Ｈは、物品管理センターＢに連絡する。物品管理センターＢは、収集運送業者Ｔに収集運送委託の連絡をし、同収集運送業者Ｔは適切な電磁界漏洩防止されたコンテナ車の廃棄物収集運搬車Ｃを排出者Ｈの運び出し場所へ向かわせる。
【００１１】
廃棄物収集運搬車Ｃが排出者Ｈの指定場所に到着すると、互いに排出者Ｈ，収集運送業者Ｔに間違いないかを確認し、その後、ダンボール箱Ｄをトンネルリーダ型ＩＣタグ読み取り装置３を通過させ、ダンボール箱Ｄに取付けたＩＣタグ１をＩＣタグ読み取り装置３によって読み取り、その情報をその時の年月日時刻情報とともに物品管理センターＢへインターネットで送信する。送信されてくるＩＣタグ１に書き込まれた排出者識別情報、ダンボール箱Ｄの物品ＩＤ番号（品番），廃棄物の品目，量、収集運搬業者Ｔ・処分業者Ｓの識別情報等の情報は、読み取り時の年月日時刻情報とともに管理コンピュータ１０のハードディスクＨＤＤに記憶される。
【００１２】
このダンボール箱Ｄは廃棄物収集運搬車ＣのコンテナＣＣ内に積載される。コンテナＣＣ内に積載されると、コンテナＣＣ内に設置したＩＣタグ読み取り装置４によって、ダンボール箱ＤのＩＣタグ１の情報（排出者識別情報，物品ＩＤ番号（品番），品目，量，収集運送業者Ｔと運送先となる処分業者Ｓの識別情報と処分場の情報）が読み取られる。又、物品ＩＤ番号とともにコンテナに積載されるダンボール箱Ｄの個数もコントローラ５内のソフトでカウントされる。コントローラ５でのカウントは図１１と同様にコンピュータ（回路）でなされる。これらのＩＣタグ情報と、個数と、廃棄物収集運搬車の車両番号，ＧＰＳ装置６からの車位置情報は、物品管理センターＢへ無線機７によって無線で送られる。物品管理センターＢは廃棄物収集運搬車ＣのコンテナＣＣ毎にダンボール箱Ｄの物品ＩＤ番号等の情報及びダンボール箱Ｄの個数をカウント（図１１参照）して廃棄物収集運搬車Ｃの記憶情報管理する。
【００１３】
収集運送業者Ｔが排出者Ｈから排出されるＩＣタグ付ダンボール箱Ｄを車両ＣのコンテナＣＣ内に積載し、管理センターＢから運送開始許可が送られると、処分業者Ｓの指定の処分場へ運送開始する。
コンテナＣＣに設けたＩＣタグ読み取り装置４は、そのコントローラ５によって、所定時間間隔、例えば５分間間隔で作動して、各ダンボール箱Ｄに取付けたＩＣタグ１を読み込む。そして、そのコンテナＣＣに積載したダンボール箱Ｄの物品ＩＤ番号と個数を絶えず検出して、廃棄物収集運搬車Ｃに搭載したＧＰＳ装置による廃棄物収集運搬車Ｃの運送位置，時刻とともに無線機７によって物品管理センターＢへ送信する。
【００１４】
管理センターＢは、各廃棄物収集運搬車Ｃ毎に、その運送位置、そのコンテナＣＣに積載したダンボール箱Ｄの物品ＩＤ番号，ダンボール箱Ｄの個数を５分間隔に記憶する。これによって、運送途中ダンボール箱ＤがコンテナＣＣから卸された場合にはＩＣタグ読み取り装置４はその卸されたダンボール箱ＤのＩＣタグ１を検出できず、卸されたことを検出できる。その検出の場所・時刻及び卸されたダンボール箱Ｄを特定できる。又運送中コンテナへ途中に積載されてもその新しいダンボール箱Ｄの物品ＩＤ番号と、個数を確認して、物品管理センターＢに無線で送信され、物品管理センターＢではその変動を確認できる。よって運送中のダンボール箱Ｄの無断廃棄，すり替えは検出できる（図７，８のディスプレイ画面参照）。
【００１５】
このようにして、廃棄物収集運搬車Ｃが処分業者Ｓの処分場に到着すれば処分業者Ｓと収集運送業者Ｔの間で、その業者に間違いがないかの確認がなされ、その後コンテナＣＣのダンボール箱Ｄが卸されて、処分業者ＳのＩＣタグ読み取り装置８によって、ＩＣタグ１が読み取られ、その物品ＩＤ番号，品目，排出者Ｈの識別情報，収集運搬業者Ｔの識別番号等が読み取られ、その卸された車両ＣのＧＰＳ装置６の運送位置・時刻とともに卸されたダンボール箱Ｄの物品ＩＤ番号，個数等の情報が管理センターＢへ送られる。管理センターＢでは排出者Ｈから送られてきた個数，ダンボール箱Ｄの物品ＩＤ番号、量・排出者情報等の情報等が排出者Ｈからの情報と一致するか否か判別する。
【００１６】
処分業者Ｓがダンボール箱Ｄを受け取れば、その物品ＩＤ番号等の情報は管理センターＢへその処分業者Ｓの識別情報，処分場場所，時刻とともに送信される。処分業者Ｓがダンボール箱Ｄの廃棄物種類に応じて廃棄処分すると、処分されてダンボール箱Ｄの物品ＩＤ番号と処分年月日の情報とともに管理センターＢへ送信し、物品管理センターＢでは廃棄処分が正確に全量なされたか確認する。確認されると排出者Ｈに廃棄委託を受けたダンボール箱Ｄが廃棄を終了した旨の通知をダンボール箱Ｄの物品ＩＤ番号等情報とともに送信する。
排出者Ｈは、その送信情報の受信により廃棄委託したダンボール箱Ｄが全量、正確に処分されるか確認する。
【００１７】
これらの物品の運送管理の処理フローを図９，１０に示し、又図１１に管理コンピュータ１０，コントローラ５のコンピュータが行っている物品の個数算出ソフトのフロー図を示している。これら処理は本実施例のものに限定するものではない。
【００１８】
以上、物品が廃棄物される物品であるが、一般の運送物品・商品も同様に運送管理することができる。
【００１９】
【発明の効果】
以上の様に、運送物品の個数を検出する検出装置を設け、運送される物品を運送中個数を検査して、無線で管理センターに送って経時的に記憶して、検査することによって、物品の運送中における不正又は間違った荷卸し，荷廃棄，荷積みによる物品の増減，物品のすり替え等を把握できるものとした。
特に、物品の識別番号をＩＣタグに記憶させると、物品の交換・間違い又は不正な物品の特定が容易となり、又処分者への到達を正確に行えるようになる。又、不正又は間違いが発生した場所・時間もＧＰＳ装置の運送位置情報と伴せることで正確に確認できる。
【図面の簡単な説明】
【図１】実施例の全体システムを示す説明図である。
【図２】実施例の排出者でのＩＣタグの書き込みと付着を示す説明図である。
【図３】実施例の排出者での荷引き渡し時における物品の情報発信を示す説明図である。
【図４】実施例の収集運搬の車両内の装置を示す説明図である。
【図５】実施例の処理業者でのＩＣタグを用いた検査を示す説明図である。
【図６】実施例の管理センターの情報処理を示す説明図である。
【図７】管理センターのコンピュータのディスプレイ画面図である。
【図８】管理センターのコンピュータのディスプレイ画面図である。
【図９】実施例の管理処理を示すフロー図である。
【図１０】実施例の管理処理を示すフロー図である。
【図１１】管理コンピュータの処理ソフトのフローチャートである。
【図１２】廃酸・廃棄アルカリ液，汚泥，建設廃棄物の運送ＩＣタグの取付状態を示す説明図である。
【符号の説明】
１  ＩＣタグ
２  ＩＣタグ書き込み装置
２ａ  コイル
２ｂ  ディスプレイ
２ｃ  キーボード
２ｄ  マウス
２ｅ  コンピュータ本体
３  ＩＣタグ読み取り装置
３ａ  アンテナ
３ｂ  ＩＣタグ読み取り装置本体
４  ＩＣタグ読み取り装置
４ａ  アンテナ
５  コントローラ
６  ＧＰＳ装置
６ａ  無線アンテナ
７  無線機
７ａ  無線アンテナ
８  ＩＣタグ読み取り装置
９  インターネットパソコン
１０  管理コンピュータ
１０ａ  ディスプレイ
１０ｂ  キーボード
１０ｃ  マウス
１０ｄ  ＨＤＤ
１０ｅ  ＦＤＤ
１０ｆ  インターネット通信器
１０ｇ  無線交信器
Ｂ  物品管理センター
Ｃ  廃棄物収集運搬車
ＣＣ  コンテナ
Ｄ  ダンボール箱
Ｈ  排出者
Ｔ  収集運送業者
Ｓ  処分業者
【図１】
2004299878.tif 000003
【図２】
2004299878.tif 000004
【図３】
2004299878.tif 000005
【図４】
2004299878.tif 000006
【図５】
2004299878.tif 000007
【図６】
2004299878.tif 000008
【図７】
2004299878.tif 000009
【図８】
2004299878.tif 000010
【図９】
2004299878.tif 000011
【図１０】
2004299878.tif 000012
【図１１】
2004299878.tif 000013
【図１２】
2004299878.tif 000014